(57)【要約】【課題】封筒の内側面に接する封入用紙の面領域に配置されるオブジェクトデータのみを隠すように、封筒の内側面に地紋を印刷することを可能とする印刷装置を提供する。【解決手段】封筒の内側面と接する封入用紙の外側印刷面領域を特定する外側印刷面領域特定部１６ｆと、外側印刷面領域特定部１６ｆにより、特定された外側印刷面領域に印刷されるデータの印刷領域を特定する印刷領域特定部１６ｇと、印刷領域特定部１６ｇにより特定された印刷領域と接する封筒の内側面の領域を、地紋を印刷する領域として特定する地紋領域特定部１６ｈと、を備える。【選択図】図１
2015009378.tif 000002
【特許請求の範囲】
【請求項１】
少なくとも封入用紙を封入する封筒の内側面に印刷する印刷装置であって、
前記封筒の内側面と接する前記封入用紙の外側印刷面領域を特定する外側印刷面領域特定部と、
前記外側印刷面領域特定部により、特定された外側印刷面領域に印刷されるデータの印刷領域を特定する印刷領域特定部と、
前記印刷領域特定部により特定された印刷領域と接する前記封筒の内側面の領域を、地紋を印刷する領域として特定する地紋領域特定部と、
を備える、
ことを特徴とする印刷装置。
【請求項２】
前記地紋領域特定部は、前記封筒に封入する際の状態の前記封入用紙のサイズと、前記封筒のサイズと、に基づいて、両サイズの差を算出し、算出した差に基づいて、前記特定した前記地紋を印刷する領域の大きさを補正する、
ことを特徴とする請求項１に記載の印刷装置。
【請求項３】
前記印刷装置は、バリアブル印刷に対応しており、
前記印刷領域特定部により特定された前記印刷領域の中から、可変データに対応する印刷領域を抽出する抽出部を更に備え、
前記地紋領域特定部は、処理対象のジョブがバリアブル印刷に関するジョブである場合には、前記抽出部により抽出された前記印刷領域に対してのみ、前記地紋を印刷する領域を特定する、
ことを特徴とする請求項１又は２に記載の印刷装置。
【発明の詳細な説明】
【技術分野】
【０００１】
本発明は、印刷装置に関する。
【背景技術】
【０００２】
近年、封筒と内容物の印刷から内容物を折って封筒に封入封緘するまでの処理を行うインライン型の印刷装置が提案されている（例えば、特許文献１を参照）。
【０００３】
また、インライン型の印刷装置の中には、封筒の内側面に印刷する機能を備え、封筒に封入する内容物が機密性を有する場合に、封筒の内側面に地紋を印刷する印刷装置もある。
【先行技術文献】
【特許文献】
【０００４】
【特許文献１】特開２０１２−６６５０９号公報
【発明の概要】
【発明が解決しようとする課題】
【０００５】
しかしながら、従来の印刷装置では、封筒の内側面に地紋を印刷する場合には、封筒の内側面の全体に地紋を印刷しており、インクを無駄に消費してしまうという問題がある。
【０００６】
上記問題点に鑑み、本発明では、封筒の内側面に接する封入用紙の面領域に配置されるオブジェクトデータのみを隠すように、封筒の内側面に地紋を印刷することを可能とする印刷装置を提供することを課題とする。
【課題を解決するための手段】
【０００７】
請求項１に係る印刷装置は、
少なくとも封入用紙を封入する封筒の内側面に印刷する印刷装置であって、
前記封筒の内側面と接する前記封入用紙の外側印刷面領域を特定する外側印刷面領域特定部と、
前記外側印刷面領域特定部により、特定された外側印刷面領域に印刷されるデータの印刷領域を特定する印刷領域特定部と、
前記印刷領域特定部により特定された印刷領域と接する前記封筒の内側面の領域を、地紋を印刷する領域として特定する地紋領域特定部と、
を備える、
ことを特徴としている。
【０００８】
請求項２に係る印刷装置は、請求項１に係る印刷装置において、
前記地紋領域特定部は、前記封筒に封入する際の状態の前記封入用紙のサイズと、前記封筒のサイズと、に基づいて、両サイズの差を算出し、算出した差に基づいて、前記特定した前記地紋を印刷する領域の大きさを補正する、
ことを特徴としている。
【０００９】
請求項３に係る印刷装置は、請求項１又は２に係る印刷装置において、
前記印刷装置は、バリアブル印刷に対応しており、
前記印刷領域特定部により特定された前記印刷領域の中から、可変データに対応する印刷領域を抽出する抽出部を更に備え、
前記地紋領域特定部は、処理対象のジョブがバリアブル印刷に関するジョブである場合には、前記抽出部により抽出された前記印刷領域に対してのみ、前記地紋を印刷する領域を特定する、
ことを特徴としている。
【発明の効果】
【００１０】
請求項１に係る印刷装置によれば、封入用紙を封筒に封入する場合に封筒の内側面と接する領域であり、且つ、印刷面上の領域である外側印刷面領域を特定する。そして、特定した外側印刷面領域に配置される、データ（オブジェクトデータ）を印刷する領域である印刷領域を特定する。そして、封入用紙を封筒に封入する場合に特定した印刷領域と接する、封筒の内側面の領域を、地紋を印刷する領域として特定する。このように構成することで、封筒の内側面に接する封入用紙の面領域に配置されるオブジェクトデータのみを隠すように、封筒の内側面に地紋を印刷することが可能となる。これにより、インクの消費を抑えることが可能となる。
【００１１】
請求項２に係る印刷装置によれば、封筒に封入するために折った際の封入用紙のサイズと、封筒のサイズと、に基づいて、両サイズの差を算出し、算出した差に基づいて、地紋を印刷する領域の大きさを大きくする補正をした。このように構成することで、封筒内で封入用紙が動いてしまっても、封筒の内側面に接する封入用紙の面領域に配置されるオブジェクトデータを地紋で隠すことが可能となる。
【００１２】
請求項３に係る印刷装置によれば、処理対象のジョブデータがバリアブル印刷に関するジョブデータの場合に、外側印刷面領域における印刷領域の中から、可変データに対応する印刷領域を抽出して、抽出した印刷領域に対してのみ地紋の印刷領域を特定する。このように構成することで、機密情報に該当する可能性が極めて低い定型データに対しては、地紋の印刷領域を特定しないことから、処理負荷を軽減することが可能となる。また、インクの消費を更に抑えることが可能となる。
【図面の簡単な説明】
【００１３】
【図１】実施形態１における印刷システムの構成例と、印刷システムを構成する印刷装置の構成例を示す機能ブロック図である。
【図２】実施形態１における管理テーブルの例を示す図である。
【図３】図３（ａ）乃至３（ｄ）は、いずれも、封入用紙の分割領域を説明するための図である。
【図４】実施形態１における封筒属性情報テーブルの例を示す図である。
【図５】実施形態１における用紙属性情報テーブルの例を示す図である。
【図６】図６（ａ）と図６（ｂ）は、それぞれ、実施形態１における封筒に封入される内容物（印刷後の封入用紙）の表面と裏面の例を示す図である。
【図７】図６に示す封入用紙を外三つ折りした際の表面側の外側印刷面領域に対応する印字領域の例を示す図である。
【図８】図６に示す封入用紙を外三つ折りした際の裏面側の外側印刷面領域に対応する印字領域の例を示す図である。
【図９】図６に示す封入用紙を外三つ折りした際の表面側の外側印刷面領域に対応する地紋印刷領域の特定方法を説明するための図である。
【図１０】図６に示す封入用紙を外三つ折りした際の裏面側の外側印刷面領域に対応する地紋印刷領域の特定方法を説明するための図である。
【図１１】実施形態１における封筒の内側面に印刷する地紋の印刷領域の例を示す図であり、図６に示す内容物に対応する地紋の印刷領域を示す図である。
【図１２】実施形態１における封筒裏内側面印刷処理のフローを説明するためのフローチャートの例である。
【図１３】実施形態１における地紋印刷領域特定処理のフローを説明するためのフローチャートの例である。
【図１４】実施形態２における印刷システムの構成例と、印刷システムを構成する印刷装置の構成例を示す機能ブロック図である。
【図１５】実施形態２における地紋印刷領域特定処理のフローを説明するためのフローチャートの例の一部である。
【図１６】実施形態２における地紋印刷領域特定処理のフローを説明するためのフローチャートの例の他の一部である。
【発明を実施するための形態】
【００１４】
以下に本発明の実施の形態について図面を参照しながら詳細に説明する。
【００１５】
（実施形態１）
図１は、本実施形態１の印刷システム１００の構成例と、印刷システムを構成する印刷装置の構成例を示す機能ブロック図である。印刷システム１００は、図１に示すように、画像形成装置である印刷装置１０と、一又は複数の情報端末装置２０とを含み、印刷装置１０と情報端末装置２０は、ネットワークを介して相互に通信可能に接続されている。
【００１６】
なお、本実施形態１においては、情報端末装置２０により出力され、印刷装置１０へ入力される印刷ジョブ（以下、ジョブデータという）には、印刷対象のデータに個人情報などの機密情報が含まれる旨を示す情報が含まれているものとして、以下説明する。また、本実施形態１においては、印刷装置１０は、封筒Ｆを作製するための用紙（以下、単に封筒Ｆという）の内側面に印刷する機能と、印刷した印刷用紙ＰＰを封筒Ｆに封入封緘する機能とを備えるものとして、以下説明する。また、封筒Ｆに封入される印刷用紙ＰＰのことを、以下、封入用紙ＰＰと称することとする。
【００１７】
印刷装置１０は、例えば、情報端末装置２０により出力されるジョブデータを処理して、紙などの印刷媒体上に印刷して出力する装置であり、図１に示すように、通信部１１と、記憶部１２と、表示部１３と、操作部１４と、プリンタ部１５と、制御部１６と、を備えて構成されている。
【００１８】
通信部１１は、通信モジュールなどで構成され、ネットワークを介して、情報端末装置２０との間で通信を行う。例えば、通信部１１は、情報端末装置２０により出力されるジョブデータを受信する。
【００１９】
記憶部１２は、ＲＡＭ（Random Access Memory）、ＲＯＭ（Read Only Memory）、不揮発性メモリなどで構成され、制御部１６を構成するＣＰＵ（Central Processing Unit）のワークエリア、印刷装置１０全体を制御するための動作プログラムなどの各種プログラムを格納するプログラムエリア、詳しくは後述の管理テーブルＴ１、封筒属性情報テーブルＴ２、用紙属性情報テーブルＴ３などの各種データを格納するデータエリアとして機能する。
【００２０】
ここで、図２と図３を参照して、記憶部１２のデータエリアに格納されている管理テーブルＴ１について説明する。図２は、本実施形態１における管理テーブルＴ１の例を示す図である。図３（ａ）乃至３（ｄ）は、いずれも、封入用紙ＰＰの分割領域を説明するための図である。
【００２１】
封入用紙ＰＰの分割領域は、封入用紙ＰＰが、指定されている折り種別（例えば、二つ折り、外三つ折りなど）に従って、折られた際に、折り目線Ｌにより分割される領域を意味する。例えば、二つ折りの場合、図３（ａ）と図３（ｂ）示すように、封入用紙ＰＰの表面と裏面は、折り目線Ｌにより、それぞれ、２つの領域に分割され、本実施形態１においては、表面に対して、封入用紙ＰＰの上端ＵＥ側の領域を、領域２Ａ−１とし、下端ＬＥ側の領域を、領域２Ａ−２とする。また、裏面に対して、封入用紙ＰＰの上端ＵＥ側の領域を、領域２Ｂ−１とし、下端ＬＥ側の領域を、領域２Ｂ−２とする。
【００２２】
また、例えば、三つ折りの場合、図３（ｃ）と図３（ｄ）に示すように、封入用紙ＰＰの表面と裏面は、折り目線Ｌにより、それぞれ、３つの領域に分割され、本実施形態１においては、表面に対して、封入用紙ＰＰの上端ＵＥ側の領域から順に、領域３Ａ−１、領域３Ａ−２、領域３Ａ−３とする。また、裏面に対して、封入用紙ＰＰの上端ＵＥ側から順に、領域３Ｂ−１、領域３Ｂ−２、領域３Ｂ−３とする。
【００２３】
同様に、四つ折りの場合は、表面に対して、封入用紙ＰＰの上端ＵＥ側の領域から順に、領域４Ａ−１、領域４Ａ−２、領域４Ａ−３、領域４Ａ−４とし、裏面に対して、封入用紙ＰＰの上端ＵＥ側から順に、領域４Ｂ−１、領域４Ｂ−２、領域４Ｂ−３、領域４Ｂ−４とする。なお、本実施形態１においては、片面印刷する際の印刷面を、封入用紙ＰＰの表面とする。
【００２４】
管理テーブルＴ１は、例えば、詳しくは後述の封筒内側面印刷処理において、詳しくは後述の外側印刷面領域特定部１６ｆが「外側印刷面領域」を特定する際などに参照されるテーブルであり、図２に示すように、「折り種別」ごとに、「印刷面種別」と「フラグ」と「外側印刷面領域」とが対応付けられているテーブルである。
【００２５】
「折り種別」は、封入用紙ＰＰの折り方の種別を示すものであり、例えば、内三つ折り、外三つ折りなどがある。この「折り種別」を特定するための情報は、一般的には、ジョブデータに含まれている。なお、管理テーブルＴ１において、「折り種別」として設定される封入用紙ＰＰの折り方の種別は、印刷装置１０が対応可能な折り方の種別であればよく、例えば、印刷装置１０が対応可能な封入用紙ＰＰの折り方の種別が、内三つ折りのみの場合には、内三つ折りのみを設定すればよい。
【００２６】
「印刷面種別」は、印刷する面を指定するものであり、片面印刷と両面印刷とがある。この「印刷面種別」を特定するための情報は、一般的には、ジョブデータに含まれている。
【００２７】
「フラグ」は、対応する「折り種別」と「印刷面種別」との組合せにおいて、「外側印刷面領域」が存在するか否かを示すフラグである。本実施形態１においては、フラグ値“０”は、「外側印刷面領域」が存在しないことを示し、一方、フラグ値“１”は、「外側印刷面領域」が存在することを示している。
【００２８】
「外側印刷面領域」は、対応する「折り種別」に従って封入用紙ＰＰを折った際に外側になる印刷面の領域であり、印刷領域特定部１６ｇが印字領域を特定する際に対象とする領域を示すものである。したがって、「外側印刷面領域」が存在しないことを示すフラグ値“０”に対応する欄は、空欄としている。
【００２９】
例えば、図２を参照して、「折り種別」が、封入用紙ＰＰの表面を内側にして二つに折る二つ折りであり、「印刷面種別」が片面印刷の場合には、印刷面ではない裏面側の領域２Ｂ−１と領域２Ｂ−２が、封入用紙ＰＰを折った際の外側の領域となる。したがって、この場合には、「外側印刷面領域」は存在しないことから、対応する「フラグ」欄にフラグ値“０”を設定する。
【００３０】
また、例えば、「折り種別」が、封入用紙ＰＰの表面を内側にして二つに折る二つ折りであり、「印刷面種別」が両面印刷の場合には、印刷面である裏面側の領域が外側になることから、対応する「フラグ」欄にフラグ値“１”を設定する。そして、封筒Ｆに封入する封入用紙ＰＰの枚数が一枚の場合には、対応する「外側印刷面領域」欄に、領域２Ｂ−１と領域２Ｂ−２とを設定する。封筒Ｆに封入する封入用紙ＰＰの枚数が複数枚の場合には、一番後ろ（最後）の封入用紙ＰＰの裏面の領域が「外側印刷面領域」となることから、「最後」欄の対応する「外側印刷面領域」欄に、領域２Ｂ−１と領域２Ｂ−２とを設定する。なお、本実施形態１においては、封筒Ｆに封入する封入用紙ＰＰの枚数が複数枚の場合は、封入用紙ＰＰを重ねた後に一緒に折られるものとする。
【００３１】
また、例えば、「折り種別」が、封入用紙ＰＰの表面が内側になるように三つ折りにする内三つ折りであり、「印刷面種別」が両面印刷の場合には、印刷面である裏面側の領域が外側になることから、対応する「フラグ」欄にフラグ値“１”を設定する。この場合、折り方よって、領域３Ｂ−１と領域３Ｂ−２との組合せ、又は、領域３Ｂ−２と領域３Ｂ−３との組合せが、「外側印刷面領域」の組合せとなるが、本実施形態１においては、領域３Ｂ−１と領域３Ｂ−２とが「外側印刷面領域」となるものとする。そのため、封筒Ｆに封入する封入用紙ＰＰの枚数が一枚の場合には、対応する「外側印刷面領域」欄に、領域３Ｂ−１と領域３Ｂ−２とを設定する。封筒Ｆに封入する封入用紙ＰＰの枚数が複数枚の場合には、一番後ろ（最後）の封入用紙ＰＰの裏面の領域が「外側印刷面領域」となることから、「最後」欄の対応する「外側印刷面領域」欄に、領域３Ｂ−１と領域３Ｂ−２とを設定する。
【００３２】
また、例えば、「折り種別」が、封入用紙ＰＰを蛇腹状に三つ折りにする外三つ折りであり、「印刷面種別」が片面印刷の場合には、印刷面である表面側の領域が外側になることから、対応する「フラグ」欄にフラグ値“１”を設定する。この場合、折り方によって、領域３Ａ−１、又は、領域３Ａ−３が、「外側印刷面領域」となり得るが、本実施形態１においては、領域３Ａ−１が「外側印刷面領域」となるものとする。そのため、封筒Ｆに封入する封入用紙ＰＰの枚数が一枚の場合には、対応する「外側印刷面領域」欄に、領域３Ａ−１を設定する。封筒Ｆに封入する封入用紙ＰＰの枚数が複数枚の場合には、一番前（最初）の封入用紙ＰＰの表面の領域が「外側印刷面領域」となることから、「最初」欄の対応する「外側印刷面領域」欄に、領域３Ａ−１を設定する。
【００３３】
また、例えば、「折り種別」が、封入用紙ＰＰを蛇腹状に三つ折りにする外三つ折りであり、「印刷面種別」が両面印刷の場合には、印刷面の領域が外側になることから、対応する「フラグ」欄にフラグ値“１”を設定する。この場合、折り方によって、領域３Ａ−１と領域３Ｂ−３との組合せ、又は、領域３Ａ−３と領域３Ｂ−１との組合せが、「外側印刷面領域」の組合せとなるが、本実施形態１においては、領域３Ａ−１と領域３Ｂ−３とが「外側印刷面領域」となるものとする。そのため、封筒Ｆに封入する封入用紙ＰＰの枚数が一枚の場合には、対応する「外側印刷面領域」欄に、領域３Ａ−１と領域３Ｂ−３とを設定する。封筒Ｆに封入する封入用紙ＰＰの枚数が複数枚の場合には、一番前（最初）の封入用紙ＰＰの領域３Ａ−１と、一番後ろ（最後）の封入用紙ＰＰの領域３Ｂ−３とが「外側印刷面領域」となることから、「最初」欄の対応する「外側印刷面領域」欄に、領域３Ａ−１を設定し、「最後」欄の対応する「外側印刷面領域」欄に、領域３Ｂ−３を設定する。
【００３４】
また、例えば、「折り種別」が、封入用紙ＰＰを２回二つ折にする内四つ折りであり、「印刷面種別」が両面印刷の場合には、印刷面の領域が外側になることから、対応する「フラグ」欄にフラグ値“１”を設定する。この場合、領域４Ｂ−１と領域４Ｂ−２との組合せ、又は、領域４Ｂ−３と領域４Ｂ−４との組合せが、「外側印刷面領域」の組合せとなるが、本実施形態１においては、領域４Ｂ−１と領域４Ｂ−２とが「外側印刷面領域」となるものとする。そのため、封筒Ｆに封入する封入用紙ＰＰの枚数が一枚の場合には、対応する「外側印刷面領域」欄に、領域４Ｂ−１と領域４Ｂ−２とを設定する。封筒Ｆに封入する封入用紙ＰＰの枚数が複数枚の場合には、一番後ろ（最後）の封入用紙ＰＰの裏面の領域が「外側印刷面領域」となることから、「最後」欄の対応する「外側印刷面領域」欄に、領域４Ｂ−１と領域４Ｂ−２とを設定する。
【００３５】
なお、封入用紙ＰＰを折った際にどの領域が外側になるかは、上述したように、印刷装置１０が備える折り機構の折り方などにより変わるが、それに応じて管理テーブルＴ１の「外側印刷面領域」を設定すればよい。例えば、二つ折りの際に表面を内側にして折るか外側にして折るかにより「外側印刷面領域」が変わる。また、例えば、封筒Ｆに封入する封入用紙ＰＰが複数枚の場合において、封入用紙ＰＰを別々に折った後に重ねて封筒Ｆに封入する場合と、封入用紙ＰＰを重ねた後に一緒に折ったものを封筒Ｆに封入する場合とでは、やはり、「外側印刷面領域」が変わる。
【００３６】
次に、図４を参照して、記憶部１２のデータエリアに格納されている封筒属性情報テーブルＴ２について説明する。図４は、本実施形態１における封筒属性情報テーブルＴ２の例を示す図である。封筒属性情報テーブルＴ２は、例えば、詳しくは後述する地紋印刷領域特定処理において、地紋領域特定部１６ｈにより参照されるテーブルであり、図４に示すように、「封筒種別」ごとに、「長さＦＨ」と「幅ＦＷ」とが対応付けられたテーブルである。
【００３７】
「封筒種別」は、封筒Ｆの種別を示すものであり、例えば、洋形０号などがある。なお、封筒属性情報テーブルＴ２において、「封筒種別」として設定される封筒Ｆの種別は、印刷装置１０が対応する種別であればよく、例えば、印刷装置１０が作製可能な封筒Ｆが、洋形０号のみの場合には、洋形０号のみを設定すればよい。
【００３８】
「長さＦＨ」は、対応する種別の封筒Ｆの長手方向の大きさ（サイズ）を示すものであり、「幅ＦＷ」は、短手方向の大きさ（サイズ）を示すものである。
【００３９】
次に、図５を参照して、記憶部１２のデータエリアに格納されている用紙属性情報テーブルＴ３について説明する。図５は、本実施形態１における用紙属性情報テーブルＴ３の例を示す図である。用紙属性情報テーブルＴ３は、例えば、地紋印刷領域特定処理において、地紋領域特定部１６ｈにより参照されるテーブルであり、図５に示すように、「用紙種別」ごとに、「長さＰＨ」と「幅ＰＷ」とが対応付けられたテーブルである。
【００４０】
「用紙種別」は、封入用紙ＰＰの種別を示すものであり、例えば、Ａ４、Ａ３などがある。なお、用紙属性情報テーブルＴ３において、「用紙種別」として設定される封入用紙ＰＰの種別は、印刷装置１０が対応する種別であればよく、例えば、印刷装置１０が対応可能な「用紙種別」がＡ４とＡ３のみの場合には、Ａ４とＡ３のみを設定すればよい。
【００４１】
「長さＰＨ」は、対応する種別の封入用紙ＰＰの長手方向の大きさ（サイズ）を示すものであり、「幅ＰＷ」は、短手方向の大きさ（サイズ）を示すものである。
【００４２】
図１に戻り、表示部１３は、ＬＣＤ（Liquid Crystal Display）や有機ＥＬ（Electro-Luminescence）などの表示装置などで構成され、例えば、画像データや各種機能ボタンなどを表示画面上に表示する。
【００４３】
操作部１４は、テンキ−や表示部１３の表示画面上に表示されるタッチパネルなどで構成され、ユーザは、操作部１４を操作して、印刷装置１０への指示を入力することで、所望の処理を実行させることが可能である。
【００４４】
プリンタ部１５は、プリンタエンジンなどで構成され、図示しないＲＩＰ処理部によりラスタデータが生成されると、プリンタ部１５は、ページ毎にレイアウト処理を実行し、レイアウト処理後のページデータに対して、例えば、キャリブレーションなどの画像処理を施した後に、封入用紙ＰＰなどの印刷媒体に印刷し出力する。また、例えば、プリンタ部１５は、詳しくは後述の地紋領域特定部１６ｈにより地紋の印刷領域が特定された場合には、封筒Ｆの内側面に対して、特定された領域に地紋を印刷し出力する。そして、印刷された封入用紙ＰＰは折り機構で折られ、必要に応じて内側面に地紋が印刷された封筒Ｆに封入封緘される。
【００４５】
制御部１６は、ＣＰＵなどで構成され、記憶部１２のプログラムエリアに格納されている動作プログラムを実行して、図１に示すように、判定部１６ａと、折り種別特定部１６ｂと、印刷面種別特定部１６ｃと、フラグ特定部１６ｄ、封入枚数特定部１６ｅと、外側印刷面領域特定部１６ｆと、印刷領域特定部１６ｇと、地紋領域特定部１６ｈと、カウンタ１６ｉとしての機能を実現すると共に、印刷装置１０全体を制御する制御処理や封筒内側面印刷処理などの処理を実行する。
【００４６】
判定部１６ａは、封筒内側面印刷処理において、ジョブデータを受信したか否かを判定する。また、判定部１６ａは、封筒内側面印刷処理において、「外側印刷面領域」が存在するか否かを判定する。より具体的には、判定部１６ａは、フラグ特定部１６ｄにより特定された「フラグ」のフラグ値が“１”の場合には、「外側印刷面領域」が存在すると判定し、特定された「フラグ」のフラグ値が“０”の場合には、「外側印刷面領域」が存在しないと判定する。
【００４７】
また、判定部１６ａは、封筒内側面印刷処理において、「外側印刷面領域」に印字されるか否かを判定する。より具体的には、判定部１６ａは、ジョブデータに含まれる、文字データや画像データなどのオブジェクトデータの配置を示すレイアウト情報に基づいて、外側印刷面領域特定部１６ｆにより特定された「外側印刷面領域」に配置される、文字データに対応するオブジェクトデータが有るか否かを判定することで、「外側印刷面領域」に印字されるか否かを判定する。
【００４８】
さらに、判定部１６ａは、地紋印刷領域特定処理において、カウンタ１６ｉのカウンタ値ｉに対応する「外側印刷面領域」に対し、印刷領域特定部１６ｇにより印字領域が特定されたか否かを判定する。また、判定部１６ａは、地紋印刷領域特定処理において、カウンタ１６ｉのカウンタ値ｉが“２”以上か否かを判定する。
【００４９】
折り種別特定部１６ｂは、ジョブデータを解析し、ジョブデータに含まれる「折り種別」を特定するための情報に基づいて、封入用紙ＰＰの折り方を指定する「折り種別」を特定する。
【００５０】
印刷面種別特定部１６ｃは、ジョブデータを解析し、ジョブデータに含まれる「印刷面種別」を特定するための情報に基づいて、印刷面を指定する「印刷面種別」を特定する。
【００５１】
フラグ特定部１６ｄは、管理テーブルＴ１の「フラグ」欄を検索して、折り種別特定部１６ｂにより特定された「折り種別」と印刷面種別特定部１６ｃにより特定された「印刷面種別」との組合せに対応する「フラグ」を特定する。
【００５２】
封入枚数特定部１６ｅは、「外側印刷面領域」が存在する場合には、ジョブデータを解析し、ジョブデータに含まれる「印刷面種別」を特定するための情報やレイアウト情報などに基づいて、封筒Ｆに封入される封入用紙ＰＰの枚数を特定する。例えば、「印刷面種別」が両面印刷であり、レイアウト情報に５ページ分のレイアウトを指定する情報が含まれている場合には、封入枚数特定部１６ｅは、封入枚数として、三枚を特定する。
【００５３】
外側印刷面領域特定部１６ｆは、封入枚数特定部１６ｅにより特定された封入枚数が一枚である場合には、管理テーブルＴ１の「一枚」欄を検索して、折り種別特定部１６ｂにより特定された「折り種別」と印刷面種別特定部１６ｃにより特定された「印刷面種別」との組合せに対応する「外側印刷面領域」を特定する。
【００５４】
一方、封入枚数特定部１６ｅにより特定された封入枚数が複数枚である場合には、外側印刷面領域特定部１６ｆは、管理テーブルＴ１の「複数枚」欄を検索して、折り種別特定部１６ｂにより特定された「折り種別」と印刷面種別特定部１６ｃにより特定された「印刷面種別」との組合せに対応する「外側印刷面領域」を特定する。
【００５５】
印刷領域特定部１６ｇは、「外側印刷面領域」に印字される場合に、その印字される領域（印字領域）を特定する。より具体的には、印刷領域特定部１６ｇは、ジョブデータに含まれるレイアウト情報に基づいて、「外側印刷面領域」に配置される、文字データに対応するオブジェクトデータのレイアウト位置を特定し、配置されるオブジェクトのサイズ情報（ジョブデータに含まれる）に基づいて、オブジェクトデータの印字領域の各頂点の座標を特定することで、文字データに対応するオブジェクトデータの印字領域を特定する。
【００５６】
ここで、図６乃至図８を参照して、具体例に従って、印刷領域特定部１６ｇの処理について説明する。図６（ａ）と（ｂ）は、それぞれ、本実施形態１における封筒Ｆに封入される内容物（印刷後の封入用紙ＰＰ）の表面と裏面の例を示す図である。
【００５７】
例えば、ジョブデータを処理し封入用紙ＰＰに印刷すると、図６に示すようになるとものとする。つまり、「印刷面種別」は両面印刷であり、封入枚数は一枚であるものとする。例えば、指定されている「折り種別」が、外三つ折りであり、管理テーブルＴ１が、図２に示すものである場合には、外側印刷面領域特定部１６ｆは、領域３Ａ−１と領域３Ｂ−３を「外側印刷面領域」として特定する。
【００５８】
図７は、図６に示す封入用紙ＰＰを外三つ折りした際の表面側の「外側印刷面領域（領域３Ａ−１）」に対応する印字領域の例を示す図である。図８は、図に示す封入用紙ＰＰを外三つ折りした際の裏面側の「外側印刷面領域（領域３Ｂ−３）」に対応する印字領域の例を示す図である。
【００５９】
この場合、印刷領域特定部１６ｇは、処理対象のジョブデータに含まれるレイアウト情報に基づいて、「理想太郎  様」に対応するオブジェクトデータと、「ログインＩＤ：ＸＸＸＸＸＸ」に対応するオブジェクトデータと、「パスワード：ＹＹＹＹＹＹＹ」に対応するオブジェクトデータが、領域３Ａ−１に配置されることを特定する。また、印刷領域特定部１６ｇは、処理対象のジョブデータに含まれるレイアウト情報に基づいて、「東京センター：」に対応するオブジェクトデータと、「０３−３５５３−ＸＸＸＸＸ」に対応するオブジェクトデータが、領域３Ｂ−３に配置されることを特定する。
【００６０】
そして、印刷領域特定部１６ｇは、レイアウト情報に基づいて、特定した各オブジェクトデータのレイアウト位置を特定し、特定した各オブジェクトデータのサイズ情報に基づいて、印字領域の各頂点の座標を特定することで、各オブジェクトデータの印字領域を特定する。
【００６１】
領域３Ａ−１に対しては、図７を参照して、印刷領域特定部１６ｇは、「理想太郎  様」に対応するオブジェクトデータの印字領域として、頂点Ａ１ａ乃至Ａ１ｄを有する長方形状の領域Ａ１を特定する。同様に、印刷領域特定部１６ｇは、「ログインＩＤ：ＸＸＸＸＸＸ」に対応するオブジェクトデータの印字領域として、頂点Ａ２ａ乃至Ａ２ｄを有する長方形状の領域Ａ２を特定し、「パスワード：ＹＹＹＹＹＹＹ」に対応するオブジェクトデータの印字領域として、頂点Ａ３ａ乃至Ａ３ｄを有する長方形状の領域Ａ３を特定する。
【００６２】
また、領域３Ｂ−３に対しては、図８を参照して、印刷領域特定部１６ｇは、「０３−３５５３−ＸＸＸＸＸ」に対応するオブジェクトデータの印字領域として、頂点Ｂ１ａ乃至Ｂ１ｄを有する長方形状の領域Ｂ１を特定し、「東京センター：」に対応するオブジェクトデータの印字領域として、頂点Ｂ２ａ乃至Ｂ２ｄを有する長方形状の領域Ｂ２を特定する。
【００６３】
図１に戻り、地紋領域特定部１６ｈは、印刷領域特定部１６ｇにより特定された「外側印刷面領域」における印字領域に対応する対向領域（後述）を補正して、封筒Ｆの内側面に印刷する地紋の印刷領域を特定する。
【００６４】
より具体的には、地紋領域特定部１６ｈは、まず、処理対象の封入用紙ＰＰを封入する封筒Ｆの種別を特定する。例えば、印刷装置１０が、複数の種別の封筒Ｆに対応可能な場合には、ジョブデータに含まれる「封筒種別」を特定するための情報に基づいて、封筒Ｆの種別を特定する。そして、地紋領域特定部１６ｈは、封筒属性情報テーブルＴ２の「封筒種別」欄を検索して、特定した封筒Ｆの種別に対応する封筒Ｆのサイズ（長さＦＨと幅ＦＷ）を特定する。
【００６５】
そして、地紋領域特定部１６ｈは、ジョブデータに含まれる封入用紙ＰＰの種別を特定するための情報に基づいて、封入用紙ＰＰの「用紙種別」（例えば、Ａ４など）を特定する。そして、地紋領域特定部１６ｈは、用紙属性情報テーブルＴ３の「用紙種別」欄を検索して、特定した「用紙種別」に対応する封入用紙ＰＰのサイズ（長さＰＨと幅ＰＷ）を特定する。そして、地紋領域特定部１６ｈは、特定した封入用紙ＰＰのサイズと折り種別特定部１６ｂにより特定された「折り種別」とに基づいて、封入用紙ＰＰを折った後のサイズを算出する。
【００６６】
例えば、図６（ｂ）に示すように、特定した封入用紙ＰＰの長さＰＨがＰＨ１、幅ＰＷがＰＷ１であり、「折り種別」が外三つ折りの場合は、本実施形態１においては、折った後の封入用紙ＰＰのサイズは、図７に示すように、長さＰＨが（ＰＨ１）／３、幅ＰＷがＰＷ１となる。
【００６７】
そして、地紋領域特定部１６ｈは、折った後の封入用紙ＰＰと封筒Ｆとの長手方向の差分ΔＨと短手方向の差分ΔＷとを算出する。
【００６８】
例えば、封筒Ｆの長さＦＨがＦＨ１、幅ＦＷがＦＷ１である場合には、後述の図９に示すように、長手方向の差分ΔＨは、封筒Ｆの長さＦＨ１と封入用紙ＰＰの幅ＰＷ１との差、すなわち、ΔＨ＝（ＦＨ１−ＰＷ１）となる。また、短手方向の差分ΔＷは、図９に示すように、封筒Ｆの幅ＦＷ１と封入用紙ＰＰの折った後の長さ（ＰＨ１）／３との差、すなわち、ΔＷ＝{ＦＷ１−（ＰＨ１）／３}となる。
【００６９】
そして、地紋領域特定部１６ｈは、処理対象の「外側印刷面領域」において、印字領域が存在する場合に、印刷領域特定部１６ｇにより特定されたそれら印字領域の頂点の座標を変換して、封筒Ｆに封入した際に印字領域と重なり合う封筒Ｆの内側面の領域（以下、対向領域という）の各頂点の座標を求める。そして、地紋領域特定部１６ｈは、算出した差分（ΔＨとΔＷ）に基づいて、処理対象の「外側印刷面領域」における各印字領域に対応する対向領域を補正することで、封筒Ｆの内側面に印刷する地紋の印刷領域（以下、地紋印刷領域という）を特定する。
【００７０】
ここで、図６乃至図１１を参照して、具体例に従って、地紋領域特定部１６ｈによる印字領域に対応する対向領域の補正方法について説明する。本実施形態１においては、図６に示す封入用紙ＰＰを外三つ折に折って封筒Ｆに封入した際に、封筒Ｆの内側面の領域ＦＡと対向する「外側印刷面領域」は、領域３Ａ−１であり、領域ＦＢと対向する「外側印刷面領域」は、領域３Ｂ−３だとする。
【００７１】
図９は、図６に示す封入用紙ＰＰを外三つ折りした際の表面側の「外側印刷面領域（領域３Ａ−１）」に対応する地紋印刷領域の特定方法を説明するための図である。図１０は、図６に示す封入用紙ＰＰを外三つ折りした際の裏面側の「外側印刷面領域（領域３Ｂ−３）」に対応する地紋印刷領域の特定方法を説明するための図である。図１１は、本実施形態１における封筒Ｆの内側面に印刷する地紋の印刷領域の例を示す図であり、図６に示す内容物に対応する地紋の印刷領域を示す図である。
【００７２】
例えば、図７に示す折った後の封入用紙ＰＰ（領域３Ａ−１が上側）の上端ＵＥと図９に示す封筒Ｆの折れ目線Ｌとを一致させ、且つ、図７に示す基準点Ｘ１と図９に示す原点０とを一致させるように、図７に示す折った後の封入用紙ＰＰ（領域３Ａ−１が上側）を封筒Ｆに封入するとする。この場合、封筒Ｆの領域ＦＡと対向する領域３Ａ−１における印字領域Ａ１、印字領域Ａ２、印字領域Ａ３は、それぞれ、図９に示す封筒Ｆの内側面の領域Ａ１’、領域Ａ２’、領域Ａ３’と重なり合って接することなる。すなわち、この場合における印字領域Ａ１、印字領域Ａ２、印字領域Ａ３の対向領域は、それぞれ、領域Ａ１’、領域Ａ２’、領域Ａ３’となる。
【００７３】
また、この場合、封筒Ｆの領域ＦＢと対向する領域３Ｂ−３における印字領域Ｂ１、印字領域Ｂ２は、それぞれ、図１０に示す封筒Ｆの内側面の領域Ｂ１’、領域Ｂ２’と重なり合って接することなる。すなわち、この場合における印字領域Ｂ１、印字領域Ｂ２の対向領域は、それぞれ、領域Ｂ１’、領域Ｂ２’となる。
【００７４】
例えば、図７を参照して、基準点Ｘ１を原点とした場合の印字領域Ａ１の頂点Ａ１ａ、Ａ１ｂ、Ａ１ｃ、Ａ１ｄの座標を、それぞれ、（ｘ[Ａ１ａ]，ｙ[Ａ１ａ]）、（ｘ[Ａ１ｂ]，ｙ[Ａ１ｂ]）、（ｘ[Ａ１ｃ]，ｙ[Ａ１ｃ]）（ｘ[Ａ１ｄ]，ｙ[Ａ１ｄ]）とする。この場合、印字領域Ａ１の対向領域Ａ１’の対応する頂点（Ａ１ａ’、Ａ１ｂ’、Ａ１ｃ’、Ａ１ｄ’）の座標は、原点０を図９に示すように定めた場合には、それぞれ、（−ｘ[Ａ１ａ]，ｙ[Ａ１ａ]）、（−ｘ[Ａ１ｂ]，ｙ[Ａ１ｂ]）、（−ｘ[Ａ１ｃ]，ｙ[Ａ１ｃ]）、（−ｘ[Ａ１ｄ]，ｙ[Ａ１ｄ]）となる。
【００７５】
また、例えば、図８を参照して、基準点Ｘ２を原点とした場合の印字領域Ｂ１の頂点Ｂ１ａ、Ｂ１ｂ、Ｂ１ｃ、Ｂ１ｄの座標を、それぞれ、（ｘ[Ｂ１ａ]，ｙ[Ｂ１ａ]）、（ｘ[Ｂ１ｂ]，ｙ[Ｂ１ｂ]）、（ｘ[Ｂ１ｃ]，ｙ[Ｂ１ｃ]）（ｘ[Ｂ１ｄ]，ｙ[Ｂ１ｄ]）とする。この場合、印字領域Ｂ１の対向領域Ｂ１’の対応する頂点（Ｂ１ａ’、Ｂ１ｂ’、Ｂ１ｃ’、Ｂ１ｄ’）の座標は、原点０を図１０に示すように定めた場合には、それぞれ、（−ｘ[Ａ１ａ]，ｙ[Ａ１ａ]）、（−ｘ[Ｂ１ｂ]，ｙ[Ｂ１ｂ]）、（−ｘ[Ｂ１ｃ]，ｙ[Ｂ１ｃ]）、（−ｘ[Ｂ１ｄ]，ｙ[Ｂ１ｄ]）となる。
【００７６】
そして、地紋領域特定部１６ｈは、封筒Ｆと折った後の封入用紙ＰＰとの大きさのズレ（差分）を考慮して、封入用紙ＰＰが封筒Ｆ内で動いても各印字領域が地紋により隠れるように、上述した方法で求めた各印字領域に対応する対向領域を補正する。
【００７７】
例えば、処理対象の印字領域が封筒Ｆの領域ＦＡと対向する場合には、地紋領域特定部１６ｈは、印字領域の対向領域の各頂点の内で、最も原点０に近い頂点以外の頂点の座標を補正する。例えば、処理対象の印字領域が印字領域Ａ１である場合には、図９に示すように、頂点Ａ１ｂ’が最も原点０に近いことから、地紋領域特定部１６ｈは、印字領域Ａ１の対向領域Ａ１’の頂点Ａ１ａ’の座標（−ｘ[Ａ１ａ]，ｙ[Ａ１ａ]）を、（−ｘ[Ａ１ａ]−ΔＷ，ｙ[Ａ１ａ]）と補正し、頂点Ａ１ｃ’の座標（−ｘ[Ａ１ｃ]，ｙ[Ａ１ｃ]）を、（−ｘ[Ａ１ｃ]，ｙ[Ａ１ｃ]＋ΔＨ）と補正し、頂点Ａ１ｄ’の座標（−ｘ[Ａ１ｄ]，ｙ[Ａ１ｄ]）を、（−ｘ[Ａ１ｄ]−ΔＷ，ｙ[Ａ１ｄ]＋ΔＨ）と補正する。そして、地紋領域特定部１６ｈは、対向領域Ａ１’を補正して得られた領域ＰＡ１を、印字領域Ａ１に対応する地紋印刷領域として特定する。
【００７８】
地紋領域特定部１６ｈは、領域ＦＡと対向する印字領域Ａ２と印字領域Ａ３にそれぞれ対応する対向領域Ａ２’と対向領域Ａ３’の頂点に対しても、同様の方法で補正して、補正して得られた領域ＰＡ２、領域ＰＡ３を、印字領域Ａ２、印字領域Ａ３にそれぞれ対応する地紋印刷領域として特定する。
【００７９】
また、例えば、処理対象の印字領域が封筒Ｆの領域ＦＢと対向する場合には、地紋領域特定部１６ｈは、印字領域の対向領域の各頂点の内で、最も原点０に近い頂点以外の頂点の座標を補正する。例えば、処理対象の印字領域が印字領域Ｂ１である場合には、図１に示すように、頂点Ｂ１ａ’が最も原点０に近いことから、地紋領域特定部１６ｈは、印字領域Ｂ１の対向領域Ｂ１’の頂点Ｂ１ｂ’の座標（−ｘ[Ｂ１ｂ]，ｙ[Ｂ１ｂ]）を、（−ｘ[Ｂ１ｂ]＋ΔＷ，ｙ[Ｂ１ｂ]）と補正し、頂点Ｂ１ｃ’の座標（−ｘ[Ｂ１ｃ]，ｙ[Ｂ１ｃ]）を、（−ｘ[Ｂ１ｃ]＋ΔＷ，ｙ[Ｂ１ｃ]＋ΔＨ）と補正し、頂点Ｂ１ｄ’の座標（−ｘ[Ｂ１ｄ]，ｙ[Ｂ１ｄ]）を、（−ｘ[Ｂ１ｄ]，ｙ[Ｂ１ｄ]＋ΔＨ）と補正する。そして、地紋領域特定部１６ｈは、対向領域Ｂ１’を補正して得られた領域ＰＢ１を、印字領域Ｂ１に対応する地紋印刷領域として特定する。    
【００８０】
地紋領域特定部１６ｈは、領域ＦＢと対向する印字領域Ｂ２に対応する対向領域Ｂ２’の頂点に対しても、同様の方法で補正して、補正して得られた領域ＰＢ２を、印字領域Ｂ２に対応する地紋印刷領域として特定する。
【００８１】
以上に説明した処理により、地紋領域特定部１６ｈは、処理対象の封入用紙ＰＰが図６に示すものである場合には、図１１に示すような地紋印刷領域を特定する。
【００８２】
図１に戻り、カウンタ１６ｉは、地紋印刷領域特定処理において用いられるカウンタであり、制御部１６により制御され、カウンタ１６ｉのカウンタ値ｉの初期値は“１”である。また、カウンタ１６ｉのカウンタ値ｉは、地紋領域特定部１６ｈが処理対象とする各「外側印刷面領域」と対応付けられている。
【００８３】
本実施形態１においては、カウンタ値ｉ＝１は、封筒Ｆの内側面の領域ＦＡ（例えば、図９を参照）に対応する「外側印刷面領域」に対応付けられており、カウンタ値ｉ＝２は、封筒Ｆの内側面の領域ＦＢ（図１０を参照）に対応する「外側印刷面領域」に対応付けられている。つまり、地紋領域特定部１６ｈは、カウンタ値ｉ＝１の際には、封筒Ｆの領域ＦＡに対応する「外側印刷面領域」における処理を実行し、カウンタ値ｉ＝２の際には、封筒Ｆの領域ＦＢに対応する「外側印刷面領域」における処理を実行する。
【００８４】
ここで、封筒Ｆの内側面の領域ＦＡ（又は、領域ＦＢ）に対応する「外側印刷面領域」とは、封入用紙ＰＰを封筒Ｆに封入した際に、領域ＦＡ（又は、領域ＦＢ）と対向する「外側印刷面領域」を指すものとする。例えば、図７と図８に示す、封入用紙ＰＰを外三つ折りした後の封入用紙ＰＰを封筒Ｆに封入した際に、封入用紙ＰＰの領域３Ａ−１が封筒Ｆの内側面の領域ＦＡと対向する場合には、領域ＦＡに対応する「外側印刷面領域」は、領域３Ａ−１となり、領域ＦＢに対応する「外側印刷面領域」は、領域３Ｂ−３となる。
【００８５】
次に、図１２を参照して、本実施形態１における封筒内側面印刷処理について説明する。図１２は、本実施形態１における封筒内側面印刷処理のフローを説明するためのフローチャートの例である。本封筒内側面印刷処理は、情報端末装置２０により出力されるジョブデータの受信をトリガとして開始される。なお、上述したように、ジョブデータには、印刷対象のデータに個人情報などの機密情報が含まれる旨を示す情報が含まれているものとする。
【００８６】
判定部１６ａは、ジョブデータを受信したか否かを判定する（ステップＳ００１）。判定部１６ａにより、ジョブデータを受信していないと判定された場合には（ステップＳ００１；ＮＯ）、処理はステップＳ００１の処理を繰り返し、ジョブデータの受信を待つ。
【００８７】
一方、判定部１６ａにより、ジョブデータを受信したと判定された場合には（ステップＳ００１；ＹＥＳ）、折り種別特定部１６ｂは、受信したジョブデータを解析し、封入用紙ＰＰの折り方を指定する「折り種別」を特定し（ステップＳ００２）、印刷面種別特定部１６ｃは、印刷面を指定する「印刷面種別」を特定する（ステップＳ００３）。
【００８８】
そして、フラグ特定部１６ｄは、管理テーブルＴ１を参照して、折り種別特定部１６ｂにより特定された「折り種別」と印刷面種別特定部１６ｃにより特定された「印刷面種別」との組合せに対応する「フラグ」を特定する（ステップＳ００４）。
【００８９】
そして、判定部１６ａは、「外側印刷面領域」が存在するか否かを判定する（ステップＳ００５）。より具体的には、判定部１６ａは、フラグ特定部１６ｄにより特定された「フラグ」のフラグ値が“１”の場合には、「外側印刷面領域」が存在すると判定し、特定された「フラグ」のフラグ値が“０”の場合には、「外側印刷面領域」が存在しないと判定する。
【００９０】
判定部１６ａにより、「外側印刷面領域」が存在しないと判定された場合には（ステップＳ００５；ＮＯ）、処理は終了し、次のジョブデータの受信を待つ。この場合、印刷された封入用紙ＰＰは折り機構で折られ、内側面に地紋が印刷されていない封筒Ｆに封入封緘される。
【００９１】
一方、判定部１６ａにより、「外側印刷面領域」が存在すると判定された場合には（ステップＳ００５；ＹＥＳ）、封入枚数特定部１６ｅは、処理対象のジョブデータを解析し、封筒Ｆに封入される封入用紙ＰＰの枚数を特定する（ステップＳ００６）。
【００９２】
そして、外側印刷面領域特定部１６ｆは、管理テーブルＴ１を参照して、封入枚数特定部１６ｅにより特定された封入枚数に基づいて、「外側印刷面領域」を特定する（ステップＳ００７）。
【００９３】
そして、判定部１６ａは、外側印刷面領域特定部１６ｆにより特定された「外側印刷面領域」に印字されるか否かを判定する（ステップＳ００８）。判定部１６ａにより、「外側印刷面領域」に印字されないと判定された場合には（ステップＳ００８；ＮＯ）、処理は終了し、次のジョブデータの受信を待つ。この場合、印刷された封入用紙ＰＰは折り機構で折られ、内側面に地紋が印刷されていない封筒Ｆに封入封緘される。
【００９４】
一方、判定部１６ａにより、「外側印刷面領域」に印字されると判定された場合には（ステップＳ００８；ＹＥＳ）、印刷領域特定部１６ｇは、処理対象のジョブデータを解析し、レイアウト情報に基づいて、「外側印刷面領域」に配置される、文字データに対応するオブジェクトデータのレイアウト位置を特定し、配置されるオブジェクトのサイズに基づいて印字領域を特定する（ステップＳ００９）。
【００９５】
そして、地紋領域特定部１６ｈは、印刷領域特定部１６ｇにより特定された「外側印刷面領域」における印字領域に対応する対向領域を補正して、封筒Ｆの内側面に印刷する地紋の印刷領域を特定する（ステップＳ０１０）。
【００９６】
そして、プリンタ部１５は、封筒Ｆの内側面に対して、地紋領域特定部１６ｈにより特定された領域に地紋を印刷し出力する（ステップＳ０１１）。そして、印刷された封入用紙ＰＰは折り機構で折られ、内側面に地紋が印刷された封筒Ｆに封入封緘される。
【００９７】
次に、図１３を参照して、本実施形態１における地紋印刷領域特定処理について説明する。図１３は、本実施形態１における地紋印刷領域特定処理のフローを説明するためのフローチャートの例である。本地紋印刷領域特定処理は、上述した封筒内側面印刷処理のステップＳ０１０の処理に対応する処理である。
【００９８】
地紋領域特定部１６ｈは、処理対象の封入用紙ＰＰを封入する封筒Ｆの種別を特定し、封筒属性情報テーブルＴ２の「封筒種別」欄を検索して、特定した封筒Ｆの種別に対応する封筒Ｆのサイズ（長さＦＨと幅ＦＷ）を特定する（ステップＳ１０１）。
【００９９】
そして、地紋領域特定部１６ｈは、ジョブデータに含まれる封入用紙ＰＰの種別を特定するための情報に基づいて、封入用紙ＰＰの「用紙種別」を特定し、用紙属性情報テーブルＴ３の「用紙種別」欄を検索して、特定した「用紙種別」に対応する封入用紙ＰＰのサイズ（長さＰＨと幅ＰＷ）を特定する（ステップＳ１０２）。
【０１００】
そして、地紋領域特定部１６ｈは、特定した封入用紙ＰＰのサイズと折り種別特定部１６ｂにより特定された「折り種別」とに基づいて、封入用紙ＰＰを折った後のサイズを算出し（ステップＳ１０３）、更に、算出した封入用紙ＰＰを折った後のサイズと特定した封筒Ｆのサイズとに基づいて、折った後の封入用紙ＰＰと封筒Ｆとの長手方向の差分ΔＨと短手方向の差分ΔＷとを算出する（ステップＳ１０４）。
【０１０１】
そして、制御部１６、カウンタ１６ｉをリセット（カウンタ値ｉ＝１）とし（ステップＳ１０５）、判定部１６ａは、カウンタ１６ｉのカウンタ値ｉに対応する「外側印刷面領域」において、印刷領域特定部１６ｇにより印字領域が特定されたか否かを判定する（ステップＳ１０６）。判定部１６ａにより、カウンタ値ｉに対応する「外側印刷面領域」において、印刷領域特定部１６ｇにより印字領域が特定されなかったと判定された場合には（ステップＳ１０６；ＮＯ）、処理は後述のステップＳ１０９の処理へと進む。
【０１０２】
一方、判定部１６ａにより、カウンタ値ｉに対応する「外側印刷面領域」において、印字特定部１６ｇにより印字領域が特定されたと判定された場合には（ステップＳ１０６；ＹＥＳ）、地紋領域特定部１６ｈは、処理対象の「外側印刷面領域」における特定された各印字領域の頂点の座標を変換して、対向領域の各頂点の座標を求める（ステップＳ１０７）。
【０１０３】
そして、地紋領域特定部１６ｈは、算出した差分（ΔＨとΔＷ）に基づいて、処理対象の「外側印刷面領域」における各印字領域に対応する対向領域を補正することで、封筒Ｆの内側面に印刷する地紋印刷領域を特定する（ステップＳ１０８）。
【０１０４】
そして、判定部１６ａは、カウンタ１６ｉのカウンタ値ｉが“２”以上か否かを判定する（ステップＳ１０９）。判定部１６ａにより、カウンタ値ｉ＝１であると判定された場合には（ステップＳ１０９；ＮＯ）、制御部１６は、カウンタ１６ｉをインクリメントし（ステップＳ２０１）、処理はステップＳ１０６の処理に戻り、前述の処理を繰り返す。
【０１０５】
一方、判定部１６ａにより、カウンタ値ｉが“２”以上であると判定された場合には（ステップＳ１０９；ＹＥＳ）、処理は終了し、封筒内側面印刷処理のステップＳ０１１の処理へと移行し、本地紋印刷領域特定処理で特定された地紋印刷領域に地紋を印刷する。
【０１０６】
上記実施形態１によれば、印刷装置１０は、封筒Ｆに封入する封入用紙ＰＰにおける、封入用紙ＰＰを封筒Ｆに封入する場合に封筒Ｆの内側面と接する領域であり、且つ、印刷面上の領域である「外側印刷面領域」を特定した。そして、印刷装置１０は、特定した「外側印刷面領域」に配置される、オブジェクトデータの印字領域を特定し、封入用紙ＰＰを封筒Ｆに封入する場合に特定した印刷領域と対向する、封筒Ｆの内側面の領域（対向領域）を、地紋を印刷する領域として特定した。このように構成することで、封筒Ｆの内側面に接する封入用紙ＰＰの面領域に配置されるオブジェクトデータのみを隠すように、封筒Ｆの内側面に地紋を印刷することが可能となる。これにより、インクの消費を抑えることが可能となる。
【０１０７】
また、上記実施形態１によれば、印刷装置１０は、封筒Ｆに封入するために折った際の封入用紙ＰＰのサイズと、封筒Ｆのサイズと、に基づいて、両サイズの差を算出し、算出した差に基づいて、封筒Ｆの内側面における対向領域の大きさを大きくする補正をした。このように構成することで、封筒Ｆ内で封入用紙ＰＰが動いてしまっても、封筒Ｆの内側面に接する封入用紙ＰＰの面領域に配置されるオブジェクトデータを地紋で隠すことが可能となる。
【０１０８】
また、上記実施形態１によれば、印刷装置１０は、封筒Ｆに封入する封入用紙ＰＰの枚数を特定し、特定した枚数に基づいて、封筒Ｆに封入する封入用紙ＰＰの中から、「外側印刷面領域」を有する封入用紙ＰＰを特定し、特定した封入用紙ＰＰにおける「外側印刷面領域」を特定した。そして、特定した「外側印刷面領域」に対してのみ、地紋を印刷する領域を特定した。このように構成することで、封筒Ｆに封入する封入用紙ＰＰが複数枚ある場合であっても、最大２つの「外側印刷面領域」に対して地紋の印刷領域の特定処理を行えばよく、処理時間を短縮することが可能となる。
【０１０９】
（実施形態２）
上記実施形態１においては、「外側印刷面領域」における全ての印字領域に対して地紋の印刷領域を特定した。
【０１１０】
本実施形態２においては、処理対象のジョブデータがバリアブル印刷に関するジョブデータの場合に、「外側印刷面領域」における印字領域の中から、可変データに対応する印字領域を抽出して、抽出した印字領域に対してのみ地紋の印刷領域を特定する。
【０１１１】
図１４は、本実施形態２における印刷システムの構成例と、印刷システムを構成する印刷装置の構成例を示す機能ブロック図である。本実施形態２における印刷装置１０の基本的な構成は、実施形態１の場合と同じである。但し、本実施形態２においては、制御部１６が、図１４に示すように、抽出部１６ｊを更に備える点で、実施形態１の場合と異なっている。また、判定部１６ａと、地紋領域特定部１６ｈと、が果たす機能が異なっている。
【０１１２】
判定部１６ａは、更に、地紋印刷領域特定処理において、処理対象のジョブデータがバリアブル印刷に関するジョブデータか否かを判定する。また、判定部１６ａは、更に、地紋印刷領域特定処理において、処理対象の「外側印刷面領域」における印字領域の中から、可変データに対応する印字領域が抽出部１６ｊにより抽出されたか否かを判定する。
【０１１３】
地紋領域特定部１６ｈは、処理対象のジョブデータがバリアブル印刷に関するジョブデータではない場合には、実施形態１において説明した処理を実行する。一方、処理対象のジョブデータがバリアブル印刷に関するジョブデータである場合には、抽出部１６ｊにより抽出された印字領域に対してのみ、地紋の印刷領域の特定処理を実行する。なお、地紋の印刷領域の特定方法については、実施形態１で説明した方法と同じである。
【０１１４】
抽出部１６ｊは、ジョブデータがバリアブル印刷に関するジョブデータである場合には、処理対象の「外側印刷面領域」において、印刷領域特定部１６ｇにより特定された印字領域の中から、可変データに対応する印字領域を抽出する。オブジェクトデータが、定型データか、それとも、可変データかの判定は、ジョブデータを解析することで可能である。
【０１１５】
例えば、図６を参照して、処理対象のジョブデータがバリアブル印刷に関するジョブデータであり、印刷後の封入用紙ＰＰの一例が図７に示すようなものであるとする。この場合、「外側印刷面領域」が領域３Ａ−１と領域３Ｂ−３であり、領域３Ａ−１上に配置されるオブジェクトデータが可変データであり、それ以外は定型データであるとすると、抽出部１６ｊは、領域３Ａ−１においては、印字領域Ａ１、印字領域Ａ２、印字領域Ａ３を抽出し、領域３Ｂ−３においては、可変データに対応する印字領域が存在しないので、印字領域を抽出しない。
【０１１６】
次に、図１５と図１６を参照して、本実施形態２における地紋印刷領域特定処理について説明する。図１５と図１６は、それぞれ、本実施形態２における地紋印刷領域特定処理のフローを説明するためのフローチャートの例の一部と、他の一部である。本地紋印刷領域特定処理は、実施形態１において説明した封筒内側面印刷処理のステップＳ０１０の処理に対応する処理である。なお、本実施形態２における封筒内側面印刷処理は、実施形態１の場合と同じである。
【０１１７】
本実施形態２における地紋印刷領域特定処理は、ステップＳ３０１以降の処理において、実施形態１の場合と異なるため、ステップＳ３０１以降の処理について以下説明する。
【０１１８】
カウンタ値ｉに対応する「外側印刷面領域」において、印字特定部１６ｇにより印字領域が特定されたと判定した場合には（ステップＳ１０６；ＹＥＳ）、判定部１６ａは、更に、処理対象のジョブデータがバリアブル印刷に関するジョブデータか否かを判定する（ステップＳ３０１）。
【０１１９】
判定部１６ａにより、処理対象のジョブデータがバリアブル印刷に関するジョブデータではないと判定された場合には（ステップＳ３０１；ＮＯ）、処理はステップＳ１０７へと進み、実施形態１で説明した処理を実行する。
【０１２０】
一方、判定部１６ａにより、処理対象のジョブデータがバリアブル印刷に関するジョブデータであると判定された場合には（ステップＳ３０１；ＹＥＳ）、抽出部１６ｊは、カウンタ値ｉに対応する「外側印刷面領域」において、印刷領域特定部１６ｇにより特定された印字領域の中から、可変データに対応する印字領域を抽出する（ステップＳ３０２）。
【０１２１】
そして、判定部１６ａは、抽出部１６ｊにより可変データに対応する印字領域が抽出されたか否かを判定する（ステップＳ３０３）。判定部１６ａにより、可変データに対応する印字領域が抽出されなかったと判定された場合には（ステップＳ３０３；ＮＯ）、処理はステップＳ１０９の処理へと進む。
【０１２２】
一方、判定部１６ａにより、可変データに対応する印字領域が抽出されたと判定された場合には（ステップＳ３０３；ＹＥＳ）、地紋領域特定部１６ｈは、抽出部１６ｊにより抽出された各印字領域の頂点の座標を変換して、対向領域の各頂点の座標を求める（ステップＳ３０４）。
【０１２３】
そして、地紋領域特定部１６ｈは、算出した差分（ΔＨとΔＷ）に基づいて、抽出部１６ｊにより抽出された各印字領域に対応する対向領域を補正することで、封筒Ｆの内側面に印刷する地紋印刷領域を特定する（ステップＳ３０５）。そして、処理はステップＳ１０９の処理へと進む。
【０１２４】
上記実施形態２によれば、処理対象のジョブデータがバリアブル印刷に関するジョブデータの場合に、「外側印刷面領域」における印字領域の中から、可変データに対応する印字領域を抽出して、抽出した印字領域に対してのみ地紋の印刷領域を特定した。このように構成することで、機密情報に該当する可能性が極めて低い定型データに対しては、地紋の印刷領域を特定しないことから、処理負荷を軽減することが可能となる。また、インクの消費を更に抑えることが可能となる。
【０１２５】
なお、上記実施形態１と２において、封筒Ｆの内側面に印刷する機能と、印刷後の封入用紙ＰＰを封筒Ｆに封入封緘する機能とを備える印刷装置１０を例にして説明したが、これに限定されるものではなく、２以上の独立した装置により上記機能を実現するように構成してもよい。
【０１２６】
また、上記実施形態１と２において、印刷領域特定部１６ｇは、ジョブデータに含まれるレイアウト情報に基づいて、「外側印刷面領域」に配置される、文字データに対応するオブジェクトデータのレイアウト位置を特定し、配置されるオブジェクトのサイズ情報に基づいて、オブジェクトデータの印字領域の各頂点の座標を特定することで、オブジェクトデータの印字領域を特定すると説明した。しかしながら、これに限定されるものではなく、例えば、「外側印刷面領域」を複数のブロックに分割して、各ブロック内の印字の有無によって印字領域を特定するように構成してもよく、印字領域が特定可能であれば別の方法を用いてもよい。
【０１２７】
また、上記実施形態１と２において、封筒Ｆの内側面に地紋を印刷する対象は、文字データであるとして説明したが、これに限定されるものではなく、封筒Ｆの内側面に地紋を印刷する対象は、文字データ以外のオブジェクトデータ、例えば、画像データであってもよい。画像データであっても、同様の方法で、地紋の印刷領域を特定可能である。
【０１２８】
また、上記実施形態１と２において、印刷装置１０が複数の折り機構を備える場合などには、対応する複数種の管理テーブルＴ１を保持するように構成してもよい。
【０１２９】
また、上記実施形態１と２において、地紋領域特定部１６ｈは、更に、封入用紙ＰＰの紙厚を考慮して、短手方向の差分ΔＷを補正するようにしてもよい。この場合、用紙属性情報テーブルＴ３おいて、用紙種別ごとに、紙厚を更に設定すればよい。例えば、紙厚がＰＴであり、封入枚数がＮ枚、折り方が二つ折りの場合には、ステップＳ１０４の処理で算出した短手方向の差分ΔＷから、紙厚ＰＴと封入枚数Ｎとを積算して求めた値を減算したもの、すなわち、（ΔＷ−ＰＴｘＮ）を補正後の短手方向の差分とする。つまり、紙厚と封入枚数と折り種別とに基づいて、短手方向の差分ΔＷを補正するようにすればよい。また、この場合、封入枚数が予め設定されている閾値を超えた場合に、短手方向の差分ΔＷを補正するように構成してもよいし、この場合、更に、紙厚に応じて、閾値を可変してもよい。
【０１３０】
なお、上記動作を実行するための動作プログラムを、フレキシブルディスク、ＣＤ−ＲＯＭ（Compact Disk-Read Only Memory）、ＤＶＤ（Digital Versatile Disk）、ＭＯ（Magnet Optical disk）などのコンピュータで読み取り可能な記録媒体に記憶して配布し、これを印刷装置１０のコンピュータにインストールすることにより、上述の処理を実行するように構成してもよい。さらに、インターネット上のサーバ装置が有するディスク装置等にプログラムを記憶しておき、例えば、情報を伝送するための搬送波に重畳させて、コンピュータにダウンロード等するものとしてもよい。
【０１３１】
以上本発明の実施形態について説明したが、本発明は、以上に述べた実施形態に限定されるものではなく、本発明の要旨を逸脱しない範囲内で種々の構成又は実施形態を取ることができる。
【符号の説明】
【０１３２】
１００          印刷システム
１０            印刷装置
１１            通信部
１２            記憶部
１３            表示部
１４            操作部
１５            プリンタ部
１６            制御部
１６ａ          判定部
１６ｂ          折り種別特定部
１６ｃ          印刷面種別特定部
１６ｄ          フラグ特定部
１６ｅ          封入枚数特定部
１６ｆ          外側印刷面領域特定部
１６ｇ          印刷領域特定部
１６ｈ          地紋領域特定部
１６ｉ          カウンタ
１６ｊ          抽出部
２０            情報端末装置
Ｔ１            管理テーブル
Ｔ２            封筒属性情報テーブル
Ｔ３            用紙属性情報テーブル
ＰＰ            封入用紙
ＵＥ            上端
ＬＥ            下端
ＰＨ１          封入用紙の長さ
ＰＷ１          封入用紙の幅
（ＰＨ１）／３  三つ折り時の封入用紙の長さ
２Ａ−１〜２    二つ折り時の表面の分割領域
２Ｂ−１〜２    二つ折り時の裏面の分割領域
３Ａ−１〜３    三つ折り時の表面の分割領域
３Ｂ−１〜３    三つ折り時の裏面の分割領域
Ａ１〜３        最初の頁の外側面の印字領域
Ａ１ａ〜ｄ      印字領域Ａ１の頂点
Ａ２ａ〜ｄ      印字領域Ａ２の頂点
Ａ３ａ〜ｄ      印字領域Ａ３の頂点
Ｂ１〜２        最後の頁の外側面の印字領域
Ｂ１ａ〜ｄ      印字領域Ｂ１の頂点
Ｂ２ａ〜ｄ      印字領域Ｂ２の頂点
ＰＡ１〜３      印字領域Ａ１〜３を補正した後の領域
ＰＡ１ａ〜ｄ    領域ＰＡ１の頂点
ＰＡ２ａ〜ｄ    領域ＰＡ２の頂点
ＰＡ３ａ〜ｄ    領域ＰＡ３の頂点
ＰＢ１〜２      印字領域Ｂ１〜２を補正した後の領域
ＰＢ１ａ〜ｄ    領域ＰＢ１の頂点
ＰＢ２ａ〜ｄ    領域ＰＢ２の頂点
Ｆ              封筒
ＦＡ、ＦＢ      封筒の領域
ＦＨ１          封筒の長さ
ＦＷ１          封筒の幅
ΔＨ            折り後の封入用紙と封筒との長手方向の差分
ΔＷ            折り後の封入用紙と封筒との短手方向の差分
Ｌ              折り目線
【図１】
2015009378.tif 000003
【図２】
2015009378.tif 000004
【図３】
2015009378.tif 000005
【図４】
2015009378.tif 000006
【図５】
2015009378.tif 000007
【図１２】
2015009378.tif 000008
【図１３】
2015009378.tif 000009
【図１４】
2015009378.tif 000010
【図１５】
2015009378.tif 000011
【図１６】
2015009378.tif 000012
【図６】
2015009378.tif 000013
【図７】
2015009378.tif 000014
【図８】
2015009378.tif 000015
【図９】
2015009378.tif 000016
【図１０】
2015009378.tif 000017
【図１１】
2015009378.tif 000018